(57)【要約】【課題】  ユニバーサルシリアルバスすなわちＵＳＢ２．０及び３．０伝送プロトコルを備え、電磁雑音から端子を遮断し、電磁雑音を防止する端子シールドを有する電気コネクターを提供する。【解決手段】  電気コネクターは、絶縁ハウジングと、複数の第１端子と、複数の第２端子と、端子シールドとを有する。第１及び第２端子は、絶縁ハウジングに配置され、各端子ははんだ付け部を有する。端子シールドは、第２端子のはんだ付け部を遮蔽し、第２端子の送信高周波信号が安定するように電磁雑音を防止する。【選択図】  図１
0003150351.tif 000002
【実用新案登録請求の範囲】
【請求項１】
直立し、端子のはんだ付け部を完全に遮蔽するベースであって、上部開口と、内部に直立状に形成され、前記上部開口に連通する複数の通路とを有するベースと、
前記ベースに形成され、前記ベースから前方に突出する第１の位置決めブラケットであって、内部に直立状に形成された複数の通路を有する第１の位置決めブラケットと、
前記第１の位置決めブラケットに形成され、該第１の位置決めブラケットから前方に突出する第２の位置決めブラケットであって、内部に直立状に形成された複数の通路を有する第２の位置決めブラケットとを含む、端子シールド。
【請求項２】
電気コネクターは、絶縁ハウジングと、複数の第１端子と、複数の第２端子と、端子シールドと、金属殻組立体とを含み、
前記絶縁ハウジングは、上部、底部、前部及び後部を有し、前記前部に形成され、内面を有する空洞と、前記空洞の内面に形成され、前記内面から前方に突出する第１の凸部と、前記第１の凸部上方の前記上部に形成された第２の凸部と、前記底部及び前記後部に形成され、内面を有する開口とを有し、
前記複数の第１端子は、前記絶縁ハウジングに配置され、前記第１の凸部に取り付けられ、取付け部、弾性部、接触部及びはんだ付け部を有し、
前記複数の第２端子は、前記絶縁ハウジングに配置され、前記第２の凸部に取り付けられ、取付け部、接触部及びはんだ付け部を有し、
前記端子シールドは、前記絶縁ハウジングの前記開口に配置され、２つの相対する側部と、ベースと、第１の位置決めブラケットと、第２の位置決めブラケットとを有し、
前記ベースは、直立し、前記第２端子の前記はんだ付け部を完全に遮蔽し、上部開口と、内部に直立状に形成され、前記上部開口に連通し、前記第２端子の前記はんだ付け部をそれぞれ保持する複数の通路とを有し、
前記第１の位置決めブラケットは、前記ベースに形成され、該ベースから前方に突出し、内部に直立状に形成され、前記第１端子のいくつかの前記はんだ付け部をそれぞれ保持する複数の通路を有し、
前記第２の位置決めブラケットは、前記第１の位置決めブラケットに形成され、該第１の位置決めブラケットから前方に突出し、内部に直立状に形成され、前記第１端子の残りの前記はんだ付け部をそれぞれ保持する複数の通路を有し、
前記金属殻組立体は、前記絶縁ハウジングを覆う、電気コネクター。
【請求項３】
中央の前記第２端子の前記はんだ付け部を除いた、各はんだ付け部は、前記取付け部から下方に斜めに突き出た傾斜部分と、該傾斜部分から下方に突き出た幅の広い部分と、該幅の広い部分より細く、前記幅の広い部分から下方に突き出た幅の狭い部分とを有する、請求項２に記載の電気コネクター。
【請求項４】
中央の前記通路を除いた、前記端子シールドの前記ベースの各通路は、第２端子の前記はんだ付け部の前記幅の広い及び前記幅の狭い部分をそれぞれ保持する幅の広い領域及び幅の狭い領域を有する、請求項３に記載の電気コネクター。
【請求項５】
前記絶縁ハウジングは、複数の第１端子穴及び第２端子穴を有し、
前記第１の凸部は、前記空洞を第１の空間及び第２の空間に分割し、上面と、底面と、前記上面及び前記底面にそれぞれ形成された２組の第１端子スロットとを有し、
前記第２の凸部は、上面と、底面と、該底面に形成された複数の第２端子スロットとを有し、
前記第１端子は、前記第１端子穴に通してそれぞれ配置され、該第１端子穴にそれぞれ対応し、前記第１端子スロットにそれぞれ配置され、前記第１端子スロットにそれぞれ対応し、
前記第２端子は、前記第２端子穴に通してそれぞれ配置され、該第２端子穴にそれぞれ対応し、前記第２端子スロットにそれぞれ配置され、前記第２端子スロットにそれぞれ対応する、請求項４に記載の電気コネクター。
【請求項６】
各第１端子において、
前記取付け部は対応する第１端子穴に配置され、
前記弾性部は前記取付け部に形成され、該取付け部から突出し、対応する第１の端子穴に配置され、
前記接触部は前記弾性部に形成され、該弾性部から突出し、
前記はんだ付け部は前記取付け部に形成され、該取付け部から下方に突出する、請求項５に記載の電気コネクター。
【請求項７】
各第２端子において、
前記取付け部は対応する第２の端子穴に配置され、
前記接触部は前記取付け部に形成され、該取付け部から突出し、対応する第２の端子スロットに配置され、
前記はんだ付け部は前記取付け部に形成され、該取付け部から下方に突出する、請求項６に記載の電気コネクター。
【請求項８】
前記第１端子はＵＳＢ２．０伝送プロトコルに適合する、請求項７に記載の電気コネクター。
【請求項９】
前記第２端子はＵＳＢ３．０伝送プロトコルに適合する、請求項８に記載の電気コネクター。
【請求項１０】
前記絶縁ハウジングの前記前部付近を覆い、前面開口と、天板と、２つの相対する側面板と、前記第１の空間の内側の側面板にそれぞれ形成された２つの押圧つめと、前記側面板にそれぞれ形成された２つのバックルタブとを有する前部ケースと、
前記絶縁ハウジングの前記後部付近を覆い、天板と、２つの側面板と、前記側面板にそれぞれ形成され、かつ、前記バックルタブをそれぞれ拘束している２つのバックルループとを有する後部ケースとを備える前記金属殻組立体を含む、請求項９に記載の電気コネクター。
【考案の詳細な説明】
【技術分野】
【０００１】
本考案は、コネクターに関し、特にＵＳＢ（Universal Serial Bus）２．０及び３．０伝送プロトコルを備え、電磁雑音から端子を遮断し、防止する端子シールドを有する電気コネクターに関する。
【背景技術】
【０００２】
従来のＵＳＢ２．０コネクターは、様々な電気機器に使用されている。しかし、ＵＳＢ２．０伝送プロトコルは、４８０Ｍｂｐｓの最大伝送速度しか許さない。電気機器は、転送速度を増加させるために絶えず開発されており、ＵＳＢ２．０伝送プロトコルは、これらの電気機器の最新の伝送速度の要求に合わなくなっている。そのため、ＵＳＢＩＦ（USB Implementers Forum）が定めたＵＳＢ３．０伝送プロトコルは、ＵＳＢ２．０伝送プロトコルのほぼ１０倍の４．８Ｇｂｐｓの理論上の伝送速度を実現する。
【０００３】
しかし、４．８Ｇｂｐｓの伝送を実行するためには、ＵＳＢ３．０コネクタの端子は、高周波信号を伝送することができなければならない。送信高周波信号は、付近の電気機器からの電磁雑音に常に直面し、そのため、ＵＳＢ３．０コネクターのインピーダンスは、交互に不安定になり、信号伝送を減らす。
【０００４】
さらに、ＵＳＢ３．０コネクターの製造者は、頻繁にコネクターの相性問題に直面する。ある製造者のＵＳＢ３．０レセプタクルコネクターは、自製のプラグコネクターと対にされ、インピーダンス試験に合格するが、異なる製造者のＵＳＢ３．０コネクター間での送信は規制されないために前記インピーダンス試験で不合格になる、他の製造者により製造されたプラグコネクターとは対にされない。
【考案の概要】
【考案が解決しようとする課題】
【０００５】
本考案は前記の問題点を改善する端子シールドを備える電気コネクターを提供する。
【０００６】
本考案の目的は、ユニバーサルシリアルバスすなわちＵＳＢ２．０及び３．０伝送プロトコルを備え、電磁雑音から端子を遮断し、かつ電磁雑音を防止する端子シールドを有する電気コネクターを提供することである。
【課題を解決するための手段】
【０００７】
本考案に係る電気コネクターは、絶縁ハウジング、複数の第１端子、複数の第２端子及び端子シールドを有する。前記第１及び第２の端子は、前記絶縁ハウジングに配置され、各端子は、はんだ付け部を有する。前記端子シールドは、前記第２端子の前記はんだ付け部を遮蔽し、前記第２端子における送信高周波信号を安定させるように電磁雑音を防止する。
【図面の簡単な説明】
【０００８】
【図１】本考案に係る電気コネクターの斜視図。
【図２】ＰＣＢ上に配置された本考案に係る電気コネクターの正面図。
【図３】本考案に係る電気コネクター及びＰＣＢの分解正面斜視図。
【図４】本考案に係る電気コネクター及びＰＣＢの分解背面斜視図。
【図５】金属殻組立体を含まない、本考案に係る電気コネクターの上面斜視図。
【図６】金属殻組立体を含まない、本考案に係る電気コネクターの底面斜視図。
【図７】本考案に係る電気コネクターの第１端子、第２端子及び端子シールドの斜視図。
【図８】本考案に係る電気コネクターの第１端子、第２端子及び端子シールドの分解斜視図。
【図９】金属殻組立体を含まない、本考案に係る電気コネクターの部分断面背面図。
【図１０】金属殻組立体を含まない、本考案に係る電気コネクターの垂直断面図。
【図１１】金属殻組立体を含まない、本考案に係る電気コネクターの別の垂直断面図。
【図１２】信号送信中の本考案に係る電気コネクター及び従来のコネクターの曲線を示したインピーダンス−時間曲線図。
【考案を実施するための形態】
【０００９】
図１ないし図４を参照するに、本考案に係る電気コネクターは、ＵＳＢ２．０および３．０の伝送プロトコルに適合し、ＰＣＢすなわち印刷回路板Ｐに取り付けられたレセプタクルコネクターである。
【００１０】
前記電気コネクターは、絶縁ハウジング１０と、複数の第１端子２０と、複数の第２端子３０と、端子シールド４０と、金属殻組立体とを含む。
【００１１】
図５、６、１０及び１１を参照するに、絶縁ハウジング１０は、上部１１と、底部１４と、前部１５と、後部１６と、２つの相対する側部１７と、空洞１０１と、第１の凸部１２と、第２の凸部１３と、開口１６１とを有し、さらに複数の第1端子穴１００ａ、複数の第２端子穴１００ｂ、位置合わせ凹所１６２及び２つの取り付け凹所１６３を有してもよい。
【００１２】
空洞１０１は、正面１５に形成され、内面を有する。
【００１３】
第１の凸部１２は、空洞１０１の内面に形成され、該内面から前方へ突出し、ＵＳＢ２．０プラグコネクターに対応する開口中に伸び、空洞１０１を第１の空間１０２および第2の空間１０３に分割し、上面と、底面と、2組の第１端子スロット１２２とを有する。第１の空間１０２は、第１の凸部１２の下にあり、対応するＵＳＢ２．０プラグコネクターを保持する。第２の空間１０３は、第１の凸部１２の上にあり、対応するＵＳＢ２．０、または３．０プラグコネクターを保持する。第１端子スロット１２２のセットは2対あり、それぞれ前記上面および前記底面に形成されている。
【００１４】
第２の凸部１３は、第１の凸部１２の上方の上部１１に形成され、上面１３１と、底面と、複数の第２端子スロット１３３と、数列の通気穴１３５とを有する。第2の凸部１３の上面１３１は、絶縁ハウジング１０の上部１１より低い。第２端子スロット１３３は、第２の凸部１３の底面に形成され、５つある。通気穴１３５の列は、第２の凸部１３の上面１３１に形成され、第２端子スロット１３３にそれぞれ連通し、第２の凸部１３の長手方向に沿って分布している。絶縁ハウジング１０の上部１１より低い上面１３１は、端子のインピーダンスを安定させ、信号伝送の効率を増加させるために通気穴１３５および第２端子スロットの接触端子への空気の流れを促進する。
【００１５】
開口１６１は、底部１４及び後部１６に形成され、内面を有する。
【００１６】
第１端子穴１００ａは、絶縁ハウジング１０に形成されている。
【００１７】
第２端子穴１００ｂは、絶縁ハウジング１０に形成されている。
【００１８】
位置合わせ凹所１６２は、開口１６１の内面に形成されている。
【００１９】
取り付け凹所１６３は、開口１６１の内面に形成され、側部１７にそれぞれ対応する。
【００２０】
第１端子２０は４つあり、ＵＳＢ２．０の伝送プロトコルに適合し、絶縁ハウジング１０に取り付けられ、第１の凸部１２に取り付けられ、第１端子穴１００ａを経て取り付けられ、さらに第１端子スロット１２２に取り付けられる。各第１端子２０は、取付け部２１、弾性部２２、接触部２３およびはんだ付け部２５を有する。
【００２１】
取付け部２１は、対応する第１端子穴１００ａに配置されている。
【００２２】
弾性部２２は、取付け部２１に形成され、かつ該取付け部から前方に突出し、対応する第１端子スロット１２２にそれぞれ配置されている。
【００２３】
接触部２３は、湾曲しており、弾性部２２の前方に形成され、かつ該弾性部の前方から突出し、対応する第１端子スロット１２２に配置され、かつ該対応する第１端子スロットから上方に伸びている。
【００２４】
はんだ付け部２５は、取付け部２１に形成され、かつ該取付け部から垂直下方に突出し、印刷回路板Ｐにはんだ付けされている。
【００２５】
第２端子３０は５つあり、高周波信号を送信するためにＵＳＢ３．０伝送プロトコルに適合し、絶縁ハウジング１０に取り付けられ、第２の凸部１３に取り付けられ、第２端子穴１００ｂを経て取り付けられ、さらに第２端子スロット１３３に取り付けられる。各第２端子３０は、取付け部３１、接触部３２及びはんだ付け部３５、３５ａを有する。
【００２６】
取付け部３１は絶縁ハウジング１０の対応する第２端子穴１００ｂに配置されている。
【００２７】
接触部３２は、取付け部３１に形成され、かつ該取付け部から前方に突出し、対応する第２端子スロット１３３に配置され、電気コネクターが作動するとき、接触部３２のインピーダンスの安定性を向上させるために周囲環境からの空気の流れが接触部３２に接触してもよいように１列の通気穴１３３に面している。
【００２８】
はんだ付け部３５、３５ａは、取付け部３１に形成され、かつ該取付け部から下方へ突出し、印刷回路板Ｐにはんだ付けされている。第２端子３０の中央の１つのはんだ付け部３５を除く各はんだ付け部３５ａは、傾斜部分３５１、幅の広い部分３５２及び幅の狭い部分３５３を有する。傾斜部分３５１は、取付け部３１から下方に、かつ、第２端子３０の中央から離れるように斜めに突き出している。幅の広い部分３５２は、傾斜部分３５１から下方に突き出している。幅の狭い部分３５３は、幅の広い部分より細く、幅の広い部分から下方に突き出している。傾斜部分３５１は、幅の狭い部分３５３を印刷回路板Ｐにはんだ付けする作業を容易にするため及び2以上の幅の狭い部分３５３を接触するようにはんだ付けしたことによる短絡の問題を回避するために、隣接する幅の狭い部分の間の間隔を拡大するように扇形に配置されている。
【００２９】
図７ないし１０を参照するに、端子シールド４０はＬ字形であり、絶縁ハウジング１０の開口１６１に配置され、２つの相対する側部４７、ベース４００、第１の位置決めブラケット４０１及び第２の位置決めブラケット４０２を有する。
【００３０】
各側部４７は、取付けリブ４７３を有し、絶縁ハウジング１０の取付け凹所１６３の１つに配置されている。
【００３１】
ベース４００は直立し、かつ、はんだ付け部の印刷回路板Ｐに通された部分及び該印刷回路板Ｐより下の部分を除き第２端子３０のはんだ付け部３５、３５ａを実質的に完全に遮蔽し、上部開口４１及び複数の通路４３を有する。通路４３は５つあり、ベース４００の中を通って直立状に形成され、かつ上部開口４１に連通し、第２端子３０のはんだ付け部３５、３５ａをそれぞれ保持する。通路４３の中央の１つを除いた各通路４３は、はんだ付け部を不注意に滑ることから守るために第２端子３０の１つのはんだ付け部３５ａの幅の広い部分３５２および狭い部分３５３をそれぞれ保持するために広い領域４３２および狭い領域４３３を有する。第２端子３０のはんだ付け部３５、３５ａを実質的に完全に遮蔽しているベース４００は、高周波信号伝送を促進するために作動中の第２端子３０のインピーダンスが安定するように大気中での露出及びほかの電機部品による電磁雑音からはんだ付け部３５、３５ａを防止する。
【００３２】
第１の位置決めブラケット４０１は、ベース４００に形成され、かつ該ベースから前方に突出し、複数の通路４２を有する。通路４２は、第１端子２０のいくつかのはんだ付け部２５をそれぞれ保持する。
【００３３】
第２の位置決めブラケット４０２は、第１の位置決めブラケット４０１に形成され、かつ該第１の位置決めブラケットから前方に突出し、複数の通路４２を有する。通路４２は、第２の位置決めブラケットの中を通って直立状に形成され、第１端子２０の残りのはんだ付け部２５をそれぞれ保持する。
【００３４】
金属殻組立体は、絶縁ハウジング１０を覆い、前部ケース５０および後部ケース６０を有する。
【００３５】
正面ケース５０は、絶縁ハウジング１０の前部１５付近を覆い、前面開口、天板、２つの相対する側面板５７、２つの押圧つめ５１及び２つのバックルタブ５７１を有する。押圧つめ５１は、絶縁ハウジング１０の第１の空間１０２の内側方向へ側面板５７に形成され、かつ前記絶縁ハウジングの前記第１の空間の内側方向へ前記側面板から突出し、対応するＵＳＢ３．０プラグコネクターを強く押圧する。バックルタブ５７１は、側面板５７にそれぞれ形成されている。
【００３６】
後部ケース６０は、絶縁ハウジング１０の後部１６付近を覆い、天板、２つの側面板６７および２つのバックルループ６７１を有する。バックルループ６７１は、それぞれ側面板６７に形成され、前部ケース５０のバックルタブ５７１をそれぞれ拘束する。
【００３７】
インピーダンス−時間の図である図１２を参照するに、２つの曲線は、本考案の電気コネクター及び従来のコネクターをそれぞれ示している。インピーダンスの単位はオーム（Ω）であり、時間の単位は10-12秒すなわちピコセカンド（ＰＳ）である。従来のコネクターは、本考案と比較したとき、第２端子のはんだ付け部を完全に遮蔽していない短いシールドを有する。曲線により示唆されているように、信号伝送を実施したとき、従来のコネクターのインピーダンスは本考案の電気コネクターより激しく上下に振動する。したがって、第２端子３０のはんだ付け部３５、３５ａを完全に遮蔽する端子シールド４０のベース４００を備える電気コネクターは、インピーダンスの安定性を向上させ、第２端子３０の高周波信号伝送を助長する。本考案の電気コネクターが他の製造者のＵＳＢ３．０プラグコネクターに接続されたときでさえ、本考案の電気コネクターと他の製造者のＵＳＢ３．０プラグコネクターとの間のインピーダンスは、従来のコネクターと他の製造者のＵＳＢ３．０プラグコネクターとの間のインピーダンスより良い。
【符号の説明】
【００３８】
１０                絶縁ハウジング
１１                上部
１２                第１の凸部
１３                第２の凸部
１４                底部
１５                前部
１６                後部
１７、４７          側部
２０                第１端子
２１、３１          取付け部
２２                弾性部
２３、３２          接触部
２５、３５、３５ａ  はんだ付け部
３０                第２端子
４０                端子シールド
４１                上部開口
４２、４３          通路
５０                前部ケース
５１                押圧つめ
５７、６７          側面板
６０                後部ケース
１００ａ            第1端子穴
１００ｂ            第２端子穴
１０１              空洞
１０２              第１の空間
１０３              第２の空間
１２２              第１端子スロット
１３１              上面
１３３              第２端子スロット
１６１              開口
３５１              傾斜部分
３５２              幅の広い部分
３５３              幅の狭い部分
４００              ベース
４０１              第１の位置決めブラケット
４０２              第２の位置決めブラケット
４３２              幅の広い領域
４３３              幅の狭い領域
５７１              バックルタブ
６７１              バックルループ
【図１】
0003150351.tif 000003
【図２】
0003150351.tif 000004
【図３】
0003150351.tif 000005
【図４】
0003150351.tif 000006
【図５】
0003150351.tif 000007
【図６】
0003150351.tif 000008
【図７】
0003150351.tif 000009
【図８】
0003150351.tif 000010
【図９】
0003150351.tif 000011
【図１０】
0003150351.tif 000012
【図１１】
0003150351.tif 000013
【図１２】
0003150351.tif 000014